(57)【特許請求の範囲】
【請求項１】
複数個の帯状弗素樹脂系合成樹脂の厚み５０〜２５０μｍのフィルムであって、非粘着性、滑雪性及び撥水性の物性を有するもの（以下、単に帯状弗素樹脂フィルムという。）と、前記各帯状弗素樹脂フィルムのフィルム長さ方向の両端を、それぞれ、フィルム幅長さにわたって挟持できるように着脱可能に圧着したフレームとからなり、前記各フレームを介して前記各帯状弗素樹脂フィルムを建造物の棟及び傾斜屋根にそれぞれ張設して、前記建造物の棟及び傾斜屋根を全面的に被覆して降雪を雪切りすると共に自然滑雪できるようにすることを特徴とした建造物屋根用除雪カバー。
【請求項２】
複数個の帯状弗素樹脂系合成樹脂の厚み５０〜２５０μｍのフィルムであって、非粘着性、滑雪性及び撥水性の物性を有するもの（以下、単に帯状弗素樹脂フィルムという。）と、前記各帯状弗素樹脂フィルムのフィルム長さ方向の両端を、それぞれ、フィルム幅長さにわたって挟持できるように着脱可能に圧着したフレームとからなり、前記各フレームを介して前記各帯状弗素樹脂フィルムを建造物の棟及び傾斜屋根にそれぞれ張設して、前記建造物の棟及び傾斜屋根を全面的に被覆して降雪を雪切りし、自然滑雪できるようにすると共に、前記帯状弗素樹脂系合成樹脂フィルムと、弗素樹脂系合成樹脂フィルムであって、非粘着性、滑雪性及び撥水性の物性を有するものを表面に使用した片面粘着テープであって、粘着力が前記帯状弗素樹脂フィルムの非粘着性より大きいものとを使用して、建造物の棟、傾斜屋根の煙突等の突起物に前記帯状弗素樹脂フィルムを前記片面粘着テープを介して着脱可能に粘着して外被し、前記突起物を雪切りできるように形成することを特徴とした建造物屋根用除雪カバー。
【請求項３】
複数個の帯状弗素樹脂系合成樹脂の厚み５０〜２５０μｍのフィルムであって、非粘着性、滑雪性及び撥水性の物性を有するもの（以下、単に帯状弗素樹脂フィルムという。）と、前記各帯状弗素樹脂フィルムのフィルム長さ方向の両端を、それぞれ、フィルム幅長さにわたって挟持できるように着脱可能に圧着したフレームとからなり、前記各フレームを介して前記各帯状弗素樹脂フィルムを建造物の棟及び傾斜屋根にそれぞれ張設して、前記建造物の棟及び傾斜屋根を全面的に被覆して降雪を雪切りし、自然滑雪できるようにすると共に、前記帯状弗素樹脂系合成樹脂フィルムと、両面粘着テープであって、粘着力が前記帯状弗素樹脂フィルムの非粘着性より大きいものを使用して、建造物の棟、傾斜屋根の煙突等の突起物に前記帯状弗素樹脂フィルムを前記両面粘着テープを介して着脱可能に粘着して外被し、前記突起物を雪切りできるように形成することを特徴とした建造物屋根用除雪カバー。
【発明の詳細な説明】
【技術分野】
【０００１】
本発明は、非粘着性、滑雪性及び撥水性の物性を有する弗素樹脂系合成樹脂フィルムを使用した建造物の屋根用の除雪カバーに関する。
【背景技術】
【０００２】
本発明は、一般家屋の屋根が積雪して、屋根の積雪おろしが、住民の老齢化に伴い、次第に困難となり、また、空家屋根の積雪対策など社会問題化してきている問題点を解決するために開発された。従来の上記弗素樹脂系合成樹脂フィルム（以下、単に弗素樹脂フィルムという。）を使用した屋根用の除雪カバーには、屋根表面に断熱層を介して面状発熱体を設け、その上に被覆層、前記被覆層の上に弗素樹脂フィルムを設けたものが提案されたことがあったが、高価格につくなどの理由により実用化は困難であった。また、空気を供給する給気口と前記空気を排出する排気口を設けた弗素樹脂フィルム製の筒状袋の中に温暖な空気を流通させる温室用屋根材が提案されたが、筒状袋の両側を固定する長尺のフィルム止め材が必要となる、温暖な空気の供給源が必要となるなど、温室屋根以外の一般家屋の屋根に適用が困難であるなどの欠点があった。
また、棟表面に積もった積雪があると、屋根の両勾配方向に釣り合った状態でバランスし、傾斜屋根からの滑雪が妨げられる。そこで棟部に充分な高さの断面鋭角状の雪切り板を設けることが行われる場合があったが、施行費が高い、複雑な形状の棟部には対応しにくいなどの欠点があった。さらに、煙突などの屋根上の突起物についても傾斜屋根からの滑雪を妨げるので、雪切り板を設けていたが、前述同様の欠点があった。
【先行技術文献】
【特許文献】
【０００３】
【特許文献１】特開２００８−２６６９６２号公報
【特許文献２】特開２００４−６１号公報
【特許文献３】特開２００４−８１２０５号公報
【非特許文献】
【０００４】
【非特許文献１】社団法人日本建築学会編  「雪と建築」  技報堂出版株式会社出版  ２０１０年８月２５日発行  雪切り  ４０頁〜４１頁
【非特許文献２】旭硝子株式会社  アフレックス    エフクリーンホームページhttp://www.fluon.jp/fluon/index.html
【非特許文献３】ダイキン工業株式会社  ネオフロンホームページhttp://www.daikin.co.jp/chm/products/film/index.html
【非特許文献４】三井・デュポンフロロケミカル株式会社  テフロンＦＥＰホームページhttp://www.md-fluoro.co.jp/products/fluoropolymer/product_info/fep.html
【発明の概要】
【発明が解決しようとする課題】
【０００５】
本発明は、一般建造物の棟及び傾斜屋根を簡単容易に被覆して人手を介することなく雪切りや積雪おろしができるようにした、建造物屋根用除雪カバーを提供するものである。
また、本発明は、降雪季節を過ぎれば、迅速容易に回収して格納保管できるようにした建造物屋根用除雪カバーを提供するものである。
さらに、本発明は、低価格で製造販売できる建造物屋根用除雪カバーを提供するものである。
【課題を解決するための手段】
【０００６】
本発明建造物屋根用除雪カバーの請求項１の発明は、上記課題を達成するため、図示するように、複数個の帯状弗素樹脂系合成樹脂の厚み５０〜２５０μｍのフィルムであって、非粘着性、滑雪性及び撥水性の物性を有するもの（以下、単に帯状弗素樹脂フィルムという。）と、前記各帯状弗素樹脂フィルムのフィルム長さ方向の両端を、それぞれ、フィルム幅長さにわたって挟持できるように着脱可能に圧着したフレームとからなり、前記各フレームを介して前記各帯状弗素樹脂フィルムを建造物の棟及び傾斜屋根にそれぞれ張設して、前記建造物の棟及び傾斜屋根を全面的に被覆して降雪を雪切りすると共に自然滑雪できるようにするものである。
また、本発明建造物屋根用除雪カバーの請求項２の発明は、上記課題を達成するため、図示するように、複数個の帯状弗素樹脂系合成樹脂の厚み５０〜２５０μｍのフィルムであって、非粘着性、滑雪性及び撥水性の物性を有するもの（以下、単に帯状弗素樹脂フィルムという。）と、前記各帯状弗素樹脂フィルムのフィルム長さ方向の両端を、それぞれ、フィルム幅長さにわたって挟持できるように着脱可能に圧着したフレームとからなり、前記各フレームを介して前記各帯状弗素樹脂フィルムを建造物の棟及び傾斜屋根にそれぞれ張設して、前記建造物の棟及び傾斜屋根を全面的に被覆して降雪を雪切りし、自然滑雪できるようにすると共に、前記帯状弗素樹脂系合成樹脂フィルムと、弗素樹脂系合成樹脂フィルムであって、非粘着性、滑雪性及び撥水性の物性を有するものを表面に使用した片面粘着テープであって、粘着力が前記帯状弗素樹脂フィルムの非粘着性より大きいものとを使用して、建造物の棟、傾斜屋根の煙突等の突起物に前記帯状弗素樹脂フィルムを前記片面粘着テープを介して着脱可能に粘着して外被し、前記突起物を雪切りできるように形成するものである。
さらに、本発明建造物屋根用除雪カバーの請求項３の発明は、上記課題を達成するため、図示するように、複数個の帯状弗素樹脂系合成樹脂の厚み５０〜２５０μｍのフィルムであって、非粘着性、滑雪性及び撥水性の物性を有するもの（以下、単に帯状弗素樹脂フィルムという。）と、前記各帯状弗素樹脂フィルムのフィルム長さ方向の両端を、それぞれ、フィルム幅長さにわたって挟持できるように着脱可能に圧着したフレームとからなり、前記各フレームを介して前記各帯状弗素樹脂フィルムを建造物の棟及び傾斜屋根にそれぞれ張設して、前記建造物の棟及び傾斜屋根を全面的に被覆して降雪を雪切りし、自然滑雪できるようにすると共に、前記帯状弗素樹脂系合成樹脂フィルムと、両面粘着テープであって、粘着力が前記帯状弗素樹脂フィルムの非粘着性より大きいものを使用して、建造物の棟、傾斜屋根の煙突等の突起物に前記帯状弗素樹脂フィルムを前記両面粘着テープを介して着脱可能に粘着して外被し、前記突起物を雪切りできるように形成するものである。
本発明において、帯状弗素樹脂フィルムは、エチレンーテトラフルオロエチレン系共重合体（以下、ＥＴＦＥという。）フィルム、テトラフルオロエチレンーヘキサフルオロプロピレン系共重合体（以下、ＦＥＰという。）フィルムなどの非粘着性、滑雪性及び撥水性の物性の大きい帯状弗素樹脂系合成樹脂フィルムをいう。帯状弗素樹脂フィルムの厚みは、５０μｍ以上２５０μｍの範囲のものが必要である。その理由は、帯状弗素樹脂フィルムが５０μｍ以下の場合は、薄く柔軟すぎて引き伸ばしに手間どり、また、フレームに挟持して圧着しにくいためで、また、２５０μｍ以上の場合は、折り曲げや折り畳みにくく被覆や外被に手間どり、また、高価になるためである。
帯状ＥＴＦＥフィルムの一般物性を例示すると、以下のとおりである。
【０００７】
【表１】
0005311318.tif 000002
【０００８】
複数個の帯状弗素樹脂フィルムにより一般建造物の棟及び傾斜屋根に被覆カバーを形成する場合は、フィルム長さ方向の両端を圧着したフレームを介して、それぞれ張設しながら、各帯状弗素樹脂フィルムのフィルム幅方向の両側部分（耳部）を重ねる。また寄せ棟屋根、半切妻屋根など屋根の形状により複数個の帯状弗素樹脂フィルムの帯部分を交叉して重ねて前記フレームを介してそれぞれ各帯状弗素樹脂フィルムを張設する場合がある。また、棟又は傾斜屋根の煙突その他の突起物には、帯状弗素樹脂フィルムを外被すると共に、前記帯状弗素樹脂フィルムを前記帯状弗素樹脂フィルムと同一物性の弗素樹脂系合成樹脂フィルムを表面に使用した片面粘着テープであって、粘着力が前記帯状弗素樹脂フィルムの非粘着性より大きいものを介して外被部分を着脱可能に粘着して被覆して雪切りが行えるようにする。または、外被部分を両面の粘着層の粘着力が前記帯状弗素樹脂フィルムの非粘着性より大きい両面粘着テープを介して、着脱可能に粘着して被覆して雪切りが行えるようにする。
帯状弗素樹脂フィルムは、通常の帯状のもののほか、筒状に形成されて折り畳んだ帯状のものや、フィルム幅方向の両側が２つ折りに折られた帯状のものは、引張り強度や引裂強度が大きく、風圧や振動等に対する抵抗力が大きく、また後者はフィルム幅を増減できる。
帯状弗素樹脂フィルムは、１対のフレームをフィルム長さ方向の両端にフィルム幅長さにわたって挟持して着脱可能に圧着しているので、帯状弗素樹脂フィルムの長さ方向の引張り力がフィルム幅長さにわたって平均的に調節できる。フィルムの長さ方向の引張り力の調節は、帯状弗素樹脂フィルムの厚み、幅、長さ、屋根の構造、風力の影響等を考慮して定められる。
本発明に使用されるフレームは、機械的に強度の大きい金属板、合成樹脂板又は木板が使用される。フレームには、図面で示すように、ボルト、ナットとこれを挿入するボルト穴及び対応するフィルム穴を介して、１対のフレームにフィルムを挟持して圧着できるようにし、また、くぎ、ねじ、ロープ、ワイヤ等の係着のためロープ穴を設けて、建造物に着脱可能に係着、又は、建造物附近の地上に杭等を介して着脱可能に係着できるようにする。
【発明の効果】
【０００９】
本発明は、帯状弗素樹脂フィルムの長さ方向の両端を各フレームが、それぞれ、フィルム幅長さにわたって着脱可能に圧着しているので、各フレームによって帯状弗素樹脂フィルムを張設する場合は鳩目によってフィルムを張設する場合に比べて、極薄厚の弗素樹脂フィルムであっても引裂きを生ずることなくフィルムに平均的に大きな張力が与えられるように調節することができる。また、各フレームを介して建造物にくぎ、ねじ等により直接張設して着脱可能に係着でき、また、建造物又は建造物附近の地上にロープ等を介して張設して着脱可能に係着できるので、帯状弗素樹脂フィルムの張設が確実容易にでき、建造物の棟及び傾斜屋根を全面被覆した建造物屋根用除雪カバーが簡単迅速に出来上る。従って、降雪時は、一般建造物の棟及び傾斜屋根上の積雪は、帯状弗素樹脂フィルムの物性から雪切りされると共に、自然滑雪して地上に落下することになる。この際、帯状弗素樹脂フィルムにより高い棟や煙突その他の傾斜屋根上の突起物も外被して被覆できるので、高棟や傾斜屋根上の突起物の雪切りも同時に行われる。地上に落下した屋根上の降雪は、地上で、人力又は除雪機で除雪すればよく、屋根上の積雪おろしの手間や危険が解消する。また、空き家では屋根上の積雪による崩壊が防止される。
また、本発明に使用される帯状弗素樹脂フィルムは、農業用温室被覆資材などに多量に利用されているので、安価に入手しやすい。
さらに、建造物の棟及び傾斜屋根、高棟及び傾斜屋根上の突起物に使用された本発明の屋根用除雪カバーは、季節外には、建造物又は建造物附近の地上から各フレームの係着を解いて、各帯状弗素樹脂フィルムの両端のフレームを介して巻回し、また突起物に被覆した本発明の除雪カバーは、外被を解けば、容易に取りはずして格納保管ができる。
【図面の簡単な説明】
【００１０】
【図１】本発明の実施例を示す使用状態の全体説明図である。
【図２】本発明の別の実施例を示す使用状態の全体説明図である。
【図３】図１及び図２に使用した帯状弗素樹脂フィルムとこれに圧着したフレームとを原理的に示した一部拡大説明図である。
【図４】図３の帯状弗素樹脂フィルムと別の帯状弗素樹脂フィルムとこれに圧着したフレームとを原理的に示した一部拡大説明図である。
【図５】図３及び図４の帯状弗素樹脂フィルムと別の帯状弗素樹脂フィルムの一部拡大説明図である。
【図６】図３、図４及び図５の帯状弗素樹脂フィルムと別の帯状弗素樹脂フィルムの一部拡大説明図である。
【発明を実施するための形態】
【００１１】
本発明建造物屋根用除雪カバーを実施するための形態が実施例１乃至実施例４に示されている。
【実施例１】
【００１２】
本発明の実施例１が図１及び図３に示されている。本発明実施例１の建造物屋根用除雪カバーは、複数個の帯状弗素樹脂フィルム１０Ａ（０）とこれらのフィルム長さ方向の両端を圧着したフレーム２０Ａ（０）と、１個の帯状弗素樹脂フィルム１０Ａ（１）と、そのフィルム長さ方向の両端を圧着したフレーム２０Ａ（１）と、１対の帯状弗素樹脂フィルム１０Ａ（２）と、これらのフィルム長さ方向の両端を圧着したフレーム２０Ａ（２）とからなる。
各帯状弗素樹脂フィルム１０Ａ（０）、１０Ａ（１）及び１０Ａ（２）は、それぞれ帯状のＥＴＦＥフィルムで、厚み１００μｍ、幅１．６ｍのものを、屋根の勾配長さ及び軒長さなどに対応して定めたフィルム長さにより使用される。
フレーム２０Ａ（０）、フレーム２０Ａ（１）及びフレーム２０Ａ（２）は、それぞれ厚み１ｃｍ、幅１０ｃｍ、長さ１．６ｍの１対の合成樹脂製細長片２１Ａ（０）、２１Ａ（１）及び２１Ａ（２）が使用される。前記各細長片は、機械的強度の大きい金属細長板又は木製細長板でもよい。前記各細長片には、図３に示すように、ボルト２１１を挿入するボルト穴（図示しない）数ヶ所、１対のロープ３０Ａ（０）、ロープ３０Ａ（１）又は、ロープ３０Ａ（２）を連結するロープ穴（ワイヤ穴、又は、くぎ、ねじ等を挿入する係着孔を含む）２００が２ヶ所に穿設される。前記帯状弗素樹脂フィルムに、前記各細長片の前記ボルト穴及びロープ穴２００に貫通するフィルム穴１００が穿設されて、前記帯状弗素樹脂フィルムを挟持した１対の前記各細長片の表側にボルト２１１及び座金２１２が挿入され、裏側に座金（図示しない）がボルト２１１に挿入されたのち、ナット（図示しない）により螺着されて、１対の前記細長片により、前記帯状弗素樹脂フィルムがフィルム幅長さにわたって強く挟持されて着脱可能に圧着される。
本発明実施例の作業手順は、先ず、帯状弗素樹脂フィルム１０Ａ（１）を、フィルム長さ方向に、棟５１１長さ方向に沿って棟５１１上にのせて、フィルム幅方向の両側部分を建造物５０の棟５１１の両側に沿って曲げて両側の傾斜屋根５１上に敷設すると共に、棟５１１の両端部分において、それぞれ、フィルム１０Ａ（１）を一部折り畳んで前記片面粘着テープ又は両面粘着テープ４０を介して粘着して、棟５１１とその両端部に外被したのち、建造物５０の各妻面５２下方に垂下し、帯状弗素樹脂フィルム１０Ａ（１）の長さ方向の両端を圧着した各フレーム２０Ａ（１）に設けた１対のロープ孔２００に挿入したくぎ又はねじを介して、妻面５２に、帯状弗素樹脂フィルム１０Ａ（１）を張設して着脱可能に係着するか、又は、フレーム２０Ａ（１）の各ロープ穴２００に連結したロープ３０Ａ（１）及び３０Ａ（１）を介して帯状弗素樹脂フィルム１０Ａ（１）を張設して建造物５０又はその附近の地上の杭５００に着脱可能に係着する。同時に、棟５１１の長さ方向と平行に棟５１１の両側の傾斜屋根５１に敷設された帯状弗素樹脂フィルム１０Ａ（１）上に、帯状弗素樹脂フィルム１０Ａ（２）をのせて棟５１１と平行に敷設し、そのフィルム長さ方向の両端部を圧着したフレーム２０Ａ（２）を介して、前述同様に妻面５２に、帯状弗素樹脂フィルム１０Ａ（２）を張設して着脱可能に係着するか、又は、フレーム２０Ａ（２）の各ロープ穴２００に連結したロープ３０Ａ（２）及びロープ３０Ａ（２）を介して前述同様に帯状弗素樹脂フィルム１０Ａ（２）を張設して、建造物５０又はその附近の地上の杭５００に着脱可能に係着し、帯状弗素樹脂フィルム１０Ａ（１）が棟５１１及び傾斜屋根５１の両側から浮き上るのを防止する。
次に、帯状弗素樹脂フィルム１０Ａ（２）の傾斜屋根５１上の敷設と平行に、複数個の帯状弗素樹脂フィルム１０Ａ（０）を敷設するため、帯状弗素樹脂フィルム１０Ａ（２）のフィルム幅方向の下側の耳部裏面に、複数個の帯状弗素樹脂フィルム１０Ａ（０）のうち、第１番目の帯状弗素樹脂フィルム１０Ａ（０）のフィルム幅方向の上側の耳部表面を敷設できるように重ね、第１番目の帯状弗素樹脂フィルム１０Ａ（０）のフィルム幅方向の下側の耳部裏面に、第２番目の帯状弗素樹脂フィルム１０Ａ（０）のフィルム幅方向の上側の耳部表面を敷設できるように重ね、以下同様の手順を繰り返して最後の帯状弗素樹脂フィルム１０Ａ（０）のフィルム幅方向の下側の耳部裏面を屋根軒先５１２の雨樋（図示しない）を覆うように敷設して、各帯状弗素樹脂フィルム１０Ａ（０）の長さ方向の両端を圧着した各フレーム２０Ａ（０）をそれぞれ建造物５０の各妻面５２側に垂下し、各フレーム２０Ａ（０）を介して、前述同様に各妻面５２に、帯状弗素樹脂フィルム１０Ａ（０）を張設して着脱可能に係着、又は、各フレーム２０Ａ（０）の各ロープ穴２００に連結したロープ３０Ａ（０）及びロープ３０Ａ（０）を介して前述同様に各帯状弗素樹脂フィルム１０Ａ（０）を張設して建造物５０又はその附近の地上の杭５００に着脱可能に係着する。
以上の作業によって建造物５０の棟５１１及び傾斜屋根５１に順次複数の帯状弗素樹脂フィルムが張設されて全面被覆されて本発明の除雪カバーが出来上がり、建造物５０の棟５１１及び傾斜屋根５１の降雪は、本発明の除雪カバーにより棟５１１及び傾斜屋根５１に積雪せず、また棟５１１及び傾斜屋根５１上の突起物（図示しない）がある場合は、前記帯状弗素樹脂系合成樹脂と、弗素樹脂系合成樹脂フィルムであって、非粘着性、滑雪性及び撥水性の物性を有するものを表面に使用した片面粘着テープであって、粘着力が前記帯状弗素樹脂フィルムの非粘着性より大きいものとを使用して前記突起物に前記帯状弗素樹脂フィルムを前記片面粘着テープを介して着脱可能に粘着して外被し、前記突起物の降雪を「雪切り」して、棟５１１及び傾斜屋根５１上を自然滑雪して地上に積雪させることになり、除雪が容易になる。
【実施例２】
【００１３】
本発明の実施例２が図２及び図３に示されている。本発明実施例２の建造物屋根用除雪カバーは、複数個の帯状弗素樹脂フィルム１０Ａ（０）と、これらのフィルム長さ方向の両端を圧着したフレーム２０Ａ（０）と、１個の帯状弗素樹脂フィルム１０Ａ（１）と、そのフィルム長さ方向の両端を圧着したフレーム２０Ａ（１）と、１対の帯状弗素樹脂フィルム１０Ａ（２）と、これらのフィルム長さ方向の両端を圧着したフレーム２０Ａ（２）とからなる。帯状弗素樹脂フィルム１０Ａ（０）、１０Ａ（１）及び１０Ａ（２）は、フィルム長さを除いて実施例１と同じであるので詳細説明は省略する。
フレーム２０Ａ（０）、２０Ａ（１）及び２０Ａ（２）は、実施例１と同じであるので詳細説明は省略する。
本発明実施例の作業手順は、複数個の帯状弗素樹脂フィルム１０Ａ（０）を、建造物５０の両側の傾斜屋根５１に棟５１１を越えて両側の軒先５１２の下方まで敷設して橋渡すると共に、各帯状弗素樹脂フィルム１０Ａ（０）の耳部同士を重ねて、各帯状弗素樹脂フィルム１０Ａ（０）を張設できるように、これらの長さ方向の両端に圧着した各フレーム２０（Ａ）に連結したロープ３０Ａ（０）及び３０Ａ（０）を介して地上の杭５００又は建造物５０に順次着脱可能に係着してゆく。
次いで、帯状弗素樹脂フィルム１０Ａ（１）を、フィルム長さ方向に、棟５１１の長さ方向に沿って棟５１１上にのせて、フィルム幅方向の両端部を棟５１１の両側に沿って曲げて両側の傾斜屋根５１上に敷設すると共に、棟５１１の両端部でフィルム１０Ａ（１）を一部折り畳んで前記片面接着テープ又は両面粘着テープ４０を介して粘着して棟５１１及びその両端部に外被したのち、各妻面５２下方に垂下し、帯状弗素樹脂フィルム１０Ａ（１）の長さ方向の両端を圧着した各フレーム２０Ａ（１）に設けた１対のロープ孔２００に挿入したくぎ又はねじを介して、各妻面５２に、帯状弗素樹脂フィルム１０Ａ（１）を張設して着脱可能に係着、又は、フレーム２０Ａ（１）の各ロープ穴２００に連結したロープ３０Ａ（１）及び３０Ａ（１）を介して帯状弗素樹脂フィルム１０Ａ（１）を張設して建造物５０又はその附近の地上の杭５００に着脱可能に係着する。また、同時に、棟５１１の長さ方向と平行に棟５１１の両側の傾斜屋根５１に敷設された帯状弗素樹脂フィルム１０Ａ（１）の上に、それぞれ帯状弗素樹脂フィルム１０Ａ（２）をのせて棟５１１と平行に敷設し、その長さ方向の両端を圧着したフレーム２０Ａ（２）を介して、前述同様に妻面５２に、くぎ又はねじを介して帯状弗素樹脂フィルム１０Ａ（２）を張設して着脱可能に係着、又は、前述同様にロープ３０Ａ（２）及び３０Ａ（２）を介して各帯状弗素樹脂フィルム１０Ａ（２）を張設して、建造物５０又はその附近の地上の杭５００に着脱可能に係着して、帯状弗素樹脂フィルム１０Ａ（１）及び１０Ａ（０）が棟５１１及び傾斜屋根５１の両側からの浮き上るのを防止する。
以上の作業によって建造物５０の棟５１１及び傾斜屋根５１に順次複数の帯状弗素樹脂フィルムが張設されて全面被覆されて本発明の除雪カバーが出来上がり、建造物５０の傾斜屋根５１の降雪は、本発明の除雪カバーにより棟５１１及び傾斜屋根５１に積雪せず、また、棟５１１及び傾斜屋根５１上の突起物（図示しない）がある場合は、前記帯状弗素樹脂系合成樹脂と、両面粘着テープであって、粘着力が前記帯状弗素樹脂フィルムの非粘着性より大きいものとを使用して、前記突起物に前記帯状弗素樹脂フィルムを前記両面粘着テープを介して着脱可能に粘着して外被し、前記突起物の降雪を「雪切り」して、棟５１１及び傾斜屋根５１上を自然滑雪して地上に積雪させることになり、除雪が容易になる。
【実施例３】
【００１４】
本発明建造物屋根用除雪カバーに使用される、帯状弗素樹脂フィルムの別の実施例が図４に示されている。本例の帯状弗素樹脂フィルム１０Ｂは、ＥＴＦＥフィルムで、厚み６０μｍの筒状のもので、２つ折りしたときの幅が１．６ｍで、１対の細長片２１Ａと同一の１対の細長片２１Ｂにより挟持されて圧着されている。その他の構成、作用及び効果は、実施例１又は実施例２と同じで詳細説明は省略する。
【実施例４】
【００１５】
本発明建造物屋根用除雪カバーに使用される、帯状弗素樹脂フィルムの別の実施例が図５及び図６に示されている。本実施例の帯状弗素樹脂フィルム１０Ｃ（１）及び１０Ｃ（２）は、ＥＴＦＥフィルムで、厚み６０μｍで幅方向の両端が２つ折りされて両耳部が形成され幅方向の長さが調節できるように形成されている。その他の構成、作用及び効果は、実施例１、実施例２及び実施例３と同じで詳細説明は省略する。
【産業上の利用可能性】
【００１６】
本発明品は、軽量、製作容易で安価に量産できる。
【符号の説明】
【００１７】
１０Ａ、１０Ａ（０）、１０Ａ（１）、１０Ａ（２）、１０Ｂ、１０Ｃ、１０Ｃ（１）、１０Ｃ（２）          帯状弗素樹脂フィルム
１００、１００Ｂ                  フィルム穴
２０Ａ（０）、２０Ａ（１）、２０Ａ（２）、２０Ｂ    フレーム
２１Ａ、２１Ａ（０）、２１Ａ（１）、２１Ａ（２）、２１Ｂ              細長片
２００、２００Ｂ                  ロープ穴
２１１、２１１Ｂ                  ボルト
２１２、２１２Ｂ                  座金
３０Ａ（０）、３０Ａ（１）、３０Ａ（２）          ロープ
４０                              片面又は両面粘着テープ
５０                              建造物
５１                              傾斜屋根
５１１                            棟
５１２                            軒先
５２                              建造物妻面
５００                            地上杭
【要約】
【課題】本発明は、一般建造物の傾斜屋根や棟等に簡単容易に敷設又は外被して被覆し、降雪時には人手を介することなく積雪おろしや雪切りができるようにし、降雪季節を過ぎれば、迅速容易に回収して格納保管できるようにした建造物屋根用除雪カバーを提供する。
【解決手段】複数個の帯状弗素樹脂系合成樹脂薄膜フィルムであって、非粘着性、滑雪性及び撥水性の物性を有するもの１０Ａ（０）、１０Ａ（１）及び１０Ａ（２）と、前記各帯状弗素樹脂フィルムのフィルム長さ方向の両端を、それぞれ、フィルム幅長さにわたって挟持できるように着脱可能に圧着したフレーム２０Ａ（０）、２０Ａ（１）及び２０Ａ（２）とからなり、前記各フレームを介して、前記各帯状弗素樹脂フィルムを前記建造物の傾斜屋根及び棟にそれぞれ、張設して、前記建造物の傾斜屋根５１及び棟５１１を全面被覆して降雪を雪切りすると共に自然滑雪ができるようにしたもの。
【選択図】        図１【図１】
0005311318.tif 000003
【図２】
0005311318.tif 000004
【図３】
0005311318.tif 000005
【図４】
0005311318.tif 000006
【図５】
0005311318.tif 000007
【図６】
0005311318.tif 000008